(57)【要約】ＣＳＧ基地局のサービス圏内の閉域加入者グループ（ＣＳＧ）セルに特に有利なさまざまなやり方で、隣接セル関係リストが初期設定されて管理される。典型的には、ＣＳＧに属する無線端末だけが、ＣＳＧセルにアクセスしてＣＳＧセルからサービスを受けることを許可される。結果として、無線端末がＣＳＧセルについての閉域加入者グループのメンバでない限り、無線端末はＣＳＧ基地局から受信した信号の信号品質測定結果をそれぞれのサービス提供基地局に報告してはならないということを一般的に示す情報が、ＣＳＧセルに隣接する各セルの中の無線端末に提供される。あるＣＳＧセルが起動されると、以前に同じ環境でそのＣＳＧセルが起動されたことがあるかどうかが判定される。そうであるならば、そのＣＳＧセルについての隣接セル関係情報が、他のネットワークノードを使って更新される。そうでないならば、そのＣＳＧセルの隣接セル関係リストが初期設定される。一例では、新たな隣接セル関係がその隣接セル関係リストに追加された場合、ＣＳＧ基地局は新たに追加された隣接セルから隣接セル関係リストのエントリを引き継ぐ。
2011512045.tif 000002
【特許請求の範囲】
【請求項１】
ＣＳＧ基地局（ＣＳＧ  ＢＳ）のサービス圏内の閉域加入者グループ（ＣＳＧ）セルの隣接セル関係リストを管理するための方法であって、前記ＣＳＧに属する無線端末（ＵＥ)だけが前記ＣＳＧセルにアクセスして前記ＣＳＧセルからサービスを受けることを許可され、かつ、前記無線端末が前記ＣＳＧセルについての前記閉域加入者グループのメンバでない限り、無線端末は前記ＣＳＧ基地局から受信した信号の信号品質測定結果をそれぞれのサービス提供基地局に報告してはならないということを一般的に示す情報が、前記ＣＳＧセルに隣接する前記セルの中の無線端末に提供され、
（ａ）前記ＣＳＧセルを起動する工程と、
（ｂ）以前に同じ環境で前記ＣＳＧセルが起動されたことがあるかどうかを判定する工程と、
（ｃ）前記同じ環境で前記ＣＳＧセルが起動される場合には、１つ以上の他のネットワークノードと情報を比較することによって前記ＣＳＧセルについての隣接セル関係情報を更新する工程と、
（ｄ）前記同じ環境で前記ＣＳＧセルが起動されない場合には、前記ＣＳＧセルについての隣接セル関係情報を初期設定する工程と
を有することを特徴とする方法。
【請求項２】
前記環境が前記ＣＳＧセルの位置を含むことを特徴とする請求項１に記載の方法。
【請求項３】
前記環境が前記ＣＳＧ基地局に関連するネットワーク接続情報を含むことを特徴とする請求項１に記載の方法。
【請求項４】
前記接続情報は、インターネットプロトコルアドレス、または、インターネットプロトコルサブネット情報、または、前記ＣＳＧ基地局の位置にネットワーク接続を提供するインターネットサービスプロバイダについての情報のような、ＣＳＧ基地局接続アドレス情報を含むことを特徴とする請求項３に記載の方法。
【請求項５】
前記環境が変化したことを前記ＣＳＧ基地局が中央ノード（７０）に通知することを特徴とする請求項１に記載の方法。
【請求項６】
前記ＣＳＧ基地局が新たな環境にあることを通知する前記中央ノードへのメッセージを前記ＣＳＧ基地局の所有者または運用事業者がトリガすることを許可するための手段（４２）を前記ＣＳＧ基地局が有することを特徴とする請求項５に記載の方法。
【請求項７】
前記環境が、前記ＣＳＧセルがそのメンバであるセルネットワークを含み、別の環境が、前記ＣＳＧセルが前回起動された後での前記セルネットワークにおける１つ以上の他のセルについての隣接セル関係情報の変化を含むことを特徴とする請求項１に記載の方法。
【請求項８】
ＣＳＧ基地局（ＣＳＧ  ＢＳ）のサービス圏内の閉域加入者グループ（ＣＳＧ）セルを初期設定するための方法であって、前記ＣＳＧに属する無線端末（ＵＥ）だけが前記ＣＳＧセルにアクセスして前記ＣＳＧセルからサービスを受けることを許可され、かつ、前記無線端末が前記ＣＳＧセルについての前記閉域加入者グループのメンバでない限り、無線端末は前記ＣＳＧ基地局から受信した信号の信号品質測定結果をそれぞれのサービス提供基地局に報告してはならないということを一般的に示す情報が、前記ＣＳＧセルに隣接するセルの中の無線端末に提供される方法であって、前記ＣＳＧセルが起動された後で、
無線端末が前記ＣＳＧ基地局によって送信された信号を所定の信号品質で、または所定の信号品質を上回る品質で受信した場合には、あるいは、前記ＣＳＧ基地局によって送信された信号の前記受信信号品質が、前記サービス提供基地局によって送信された信号の前記信号品質より所定の量高い場合には、たとえ隣接セルの中の１つ以上の前記無線端末が前記ＣＳＧの前記閉域加入者グループに属さないとしても、隣接セルの中の各無線端末は、前記ＣＳＧセルについての信号品質測定結果をそれぞれのサービス提供セルに報告してもよいことを、隣接セルの中の前記無線端末に通知する工程を有することを特徴とする方法。
【請求項９】
前記方法が隣接セルの中のサービス提供基地局によって行われることを特徴とする請求項８に記載の方法。
【請求項１０】
ＣＳＧ基地局（ＣＳＧ  ＢＳ）のサービス圏内の閉域加入者グループ（ＣＳＧ）セルを初期設定するための方法であって、一般的に、前記ＣＳＧに属する無線端末（ＵＥ）だけが前記ＣＳＧセルにアクセスして前記ＣＳＧセルからサービスを受けることを許可され、かつ、前記ＣＳＧセルは禁止セルであることを前記ＣＳＧ基地局が前記ＣＳＧセルの同報チャネルでシグナリングする方法であって、前記ＣＳＧセルが起動された後で、
（ａ）各隣接セルのサービス圏内の無線端末が前記ＣＳＧセルに関連する信号品質測定結果をそれらのサービス提供セルに報告することができるように、前記ＣＳＧセルが禁止セルであることをシグナリングすることを停止させる工程と、
（ｂ）前記ＣＳＧセルのための隣接セルリストの中に所定数の隣接セルが含まれている場合、前記ＣＳＧセルは、前記ＣＳＧセルの前記閉域加入者グループに属する無線端末だけが、前記ＣＳＧセルについての信号品質測定結果をそれらの各々のサービス提供セルに報告してもよい禁止セルであることを各無線端末に通知する工程と
を有することを特徴とする方法。
【請求項１１】
工程（ａ）および（ｂ）が前記ＣＳＧ基地局によって行われることを特徴とする請求項１０に記載の方法。
【請求項１２】
前記ＣＳＧセルが前回起動されたときの位置とは異なる新たな位置に前記ＣＳＧセルが移動した場合、または、前記ＣＳＧセルが前回起動された後で前記ＣＳＧセルが属するセルネットワークの中で複数のセルについての隣接セル関係情報が変化した場合に、工程（ａ）および（ｂ）が行われることを特徴とする請求項１０に記載の方法。
【請求項１３】
前記ＣＳＧセルが前回起動されたときの位置とは異なる新たな位置に前記ＣＳＧセルが移動しなかった場合、または、前記ＣＳＧセルが前回起動された後で前記ＣＳＧセルが属するセルネットワークの中で複数のセルについての隣接セル関係情報が変化しなかった場合に、工程（ａ）および（ｂ）が行われず、その場合、前記ＣＳＧセルに関連する隣接セル情報が更新されることを特徴とする請求項１０に記載の方法。
【請求項１４】
前記ＣＳＧセルが起動された後でさらに
前記ＣＳＧセルの隣接セルである第１のセルを識別する工程と
前記ＣＳＧセルのための隣接セルリストの中に所定数の隣接セルが含まれるまで、前記ＣＳＧセルに関連する１つ以上の隣接セルとして第１のセルに関連する１つ以上の隣接セルを追加する工程と
を有することを特徴とする請求項１０に記載の方法。
【請求項１５】
前記第１のセルの前記隣接セル関係リスト情報が、中央ノードから前記ＣＳＧセルのサービス提供ＣＳＧ基地局へシグナリングされることを特徴とする請求項１４に記載の方法。
【請求項１６】
前記第１のセルの前記隣接セル関係リスト情報が、前記第１のセルの前記第１のサービス提供基地局から前記ＣＳＧセルへシグナリングされることを特徴とする請求項１４に記載の方法。
【請求項１７】
前記ＣＳＧセルが前回起動されたときの位置とは異なる新たな位置に前記ＣＳＧセルが移動した場合、または、前記ＣＳＧセルが前回起動された後で前記ＣＳＧセルが属するセルネットワークの中で複数のセルについての隣接セル関係情報が変化した場合に、第１のセルに関連する１つ以上の隣接先の追加が行われることを特徴とする請求項１４に記載の方法。
【請求項１８】
ＣＳＧ基地局（ＣＳＧ  ＢＳ）のサービス圏内の閉域加入者グループ（ＣＳＧ）セルを初期設定するための方法であって、前記ＣＳＧに属する無線端末（ＵＥ）だけが前記ＣＳＧセルにアクセスして前記ＣＳＧセルからサービスを受けることを許可され、
隣接基地局によって送信された信号の受信信号品質が、前記ＣＳＧ基地局によって送信された信号の受信信号品質と比べて報告ウィンドウの範囲内であるならば、隣接セル基地局から受信された信号の信号品質測定結果を前記ＣＳＧ基地局に報告するために、前記ＣＳＧセルのサービス圏内の無線端末に情報を提供する工程を有し、
前記ＣＳＧ基地局が、隣接セルに関連する信号品質測定結果報告の数を増加させるために、最初に比較的広域の報告ウィンドウを構成し、次いで、前記ＣＳＧセルについての隣接セル関係リストにおける確立された隣接関係の数が所定の閾値であるかまたはそれを上回る場合には、前記報告ウィンドウを狭域の報告ウィンドウに再構成することを特徴とする方法。
【請求項１９】
セルにサービス提供して、無線端末が閉域加入者グループのメンバでない限り、無線端末はＣＳＧ基地局から受信した信号の信号品質測定結果を前記サービス提供基地局に報告してはならないということを一般的に示す情報をサービス享受無線端末（ＵＥ）に提供するための基地局（１８、１９）であって、前記ＣＳＧ基地局は、
無線トランシーバ回路機構（３２）と、
データ処理システム（３４）と
を備え、
前記データ処理システムは、無線端末が前記ＣＳＧ基地局によって送信された信号を所定の信号品質で、または所定の信号品質を上回る品質で受信した場合には、たとえ一部の前記無線端末が前記ＣＳＧセルの前記閉域加入者グループの中に存在しないとしても、前記無線端末は、前記ＣＳＧセルについての信号品質測定結果を前記サービス提供セルに報告してもよいことを、前記無線トランシーバ回路機構を介して無線端末に通知するように構成された電子回路機構（３８）を備えることを特徴とする基地局。
【請求項２０】
ＣＳＧセルにサービス提供するための閉域加入者グループ（ＣＳＧ）基地局（１８、１９）であって、一般的に、前記閉域加入者グループに属する無線端末（ＵＥ）だけが前記ＣＳＧセルにアクセスして前記ＣＳＧセルからサービスを受けることを許可され、かつ、前記ＣＳＧセルは禁止されていることを前記ＣＳＧ基地局が前記ＣＳＧセルの同報チャネルでシグナリングし、
前記ＣＳＧ基地局は、
無線トランシーバ回路機構（３２）と、
データ処理システム（３４）とを備え、
前記データ処理システムは、電子回路機構（３８）が、前記ＣＳＧセルが起動された場合に、
（ａ）隣接セルのサービス圏内の無線端末が前記ＣＳＧセルに関連する受信信号品質をそれらのサービス提供セルに報告することができるように、前記ＣＳＧセルが禁止されていることを前記無線トランシーバ回路機構を介してシグナリングすることを最初は抑制するタスクと、
（ｂ）その後、前記ＣＳＧセルのための隣接セルリストの中に所定数の隣接セルが含まれている場合、前記ＣＳＧセルは、前記ＣＳＧセルの前記閉域加入者グループに属する無線端末だけが、前記ＣＳＧセルについての信号品質測定結果をそれらの各々のサービス提供セルに報告してもよいことを特徴とする禁止セルであることを前記無線トランシーバ回路機構を介してシグナリングするタスクと
を実行するように構成されることを特徴とする閉域加入者グループ（ＣＳＧ）基地局。
【請求項２１】
前記ＣＳＧセルが前回起動されたときの位置とは異なる新たな位置に前記ＣＳＧセルが移動した場合、または、前記ＣＳＧセルが前回起動された後で前記ＣＳＧセルが属するセルネットワークの中で複数のセルについての隣接セル関係情報が変化した場合に、タスク（ａ）および（ｂ）が実行されることを特徴とする請求項２０に記載のＣＳＧ基地局。
【請求項２２】
前記ＣＳＧセルが前回起動されたときの位置とは異なる新たな位置に前記ＣＳＧセルが移動しなかった場合、または、前記ＣＳＧセルが前回起動された後で前記ＣＳＧセルが属するセルネットワークの中で複数のセルについての隣接セル関係情報が変化しなかった場合に、タスク（ａ）および（ｂ）が実行されず、かつ、
前記ＣＳＧセルが前回起動されたときの位置とは異なる新たな位置に前記ＣＳＧセルが移動しなかった場合、または、前記ＣＳＧセルが前回起動された後で前記ＣＳＧセルが属するセルネットワークの中で複数のセルについての隣接セル関係情報が変化しなかった場合に、前記ＣＳＧセルに関連する隣接セル情報が更新されることを特徴とする請求項２０に記載のＣＳＧ基地局。
【請求項２３】
前記ＣＳＧ基地局が新たな環境にあることを通知する中央ノードへのメッセージをＣＳＧ基地局の所有者または運用事業者がトリガすることを許可するための手段（４２）を有することを特徴とする請求項２０に記載のＣＳＧ基地局。
【請求項２４】
各隣接セルのサービス圏内の無線端末が前記ＣＳＧセルに関連する受信信号品質をそれらのサービス提供セルに報告することができるように、前記ＣＳＧセルが禁止されていることを前記無線トランシーバ回路機構を介してシグナリングすることを抑制することをＣＳＧ基地局の所有者または運用事業者に許可するための手段（４２）を有することを特徴とする請求項２０に記載のＣＳＧ基地局。
【請求項２５】
各隣接セルのサービス圏内の無線端末が前記ＣＳＧセルに関連する受信信号品質をそれらのそれぞれのサービス提供セルに報告しないように命令されるように、前記ＣＳＧセルが禁止セルであることを示すシグナリングを前記無線トランシーバ回路機構を介して開始することをＣＳＧ基地局の所有者または運用事業者に許可するための手段（４２）を有することを特徴とする請求項２０に記載のＣＳＧ基地局。
【請求項２６】
開放型アクセスセルに関連する開放型基地局（大規模ＢＳ）と、閉域加入者グループ（ＣＳＧ）に属する無線端末だけがＣＳＧセルにアクセスしてＣＳＧセルからサービスを受けることが許可されているＣＳＧセルにサービス提供している閉域加入者グループ（ＣＳＧ）基地局とを含むネットワーク内で用いるネットワークノードであって、前記無線端末が前記閉域加入者グループのメンバでない限り、無線端末は前記ＣＳＧ基地局から受信した信号の信号品質測定結果をそれぞれのサービス提供基地局に報告してはならないということを一般的に示す情報が、前記ＣＳＧセルに隣接するセルの中の無線端末に提供され、前記ネットワークノードは、
ＣＳＧ基地局環境情報を記憶するためのメモリ（７２、７８）と、
制御装置（７８）とを備え
前記制御装置が、
運用のために最近起動されたＣＳＧセルについての前記ＣＳＧ基地局環境情報を検出し、
前記ＣＳＧ基地局が前回起動されて以来の前記記憶された環境情報と比較して、前記ＣＳＧ基地局が、起動された後、同じ環境にあるのかどうか判定し、
前記ＣＳＧセルが同じ環境で起動されていない場合には、前記ＣＳＧセルについての隣接セル関係情報を初期設定するように構成されることを特徴とするネットワークノード。
【請求項２７】
前記ネットワークノードは前記ＣＳＧ基地局および他の基地局に接続された中央ノード（７０）であり、
前記メモリは、（ｉ）各開放型セルについての隣接セル関係リストと、（ｉｉ）各ＣＳＧセルについての隣接セル関係リストと、（ｉｉｉ）複数の無線端末の各々について、前記無線端末がアクセスしてサービスを受けることが承認されているすべてのＣＳＧセルを識別するＣＳＧ承認リストとを記憶することを特徴とする請求項２６に記載のネットワークノード。
【請求項２８】
前記ＣＳＧ基地局が前記ネットワークノードに環境変化について通知することを特徴とする請求項２６に記載のネットワークノード。
【請求項２９】
前記ネットワークノードが基地局（１８、１９）であることを特徴とする請求項２６に記載のネットワークノード。
【請求項３０】
ネットワークノードであって、
関連する基地局を有する各セルについて隣接セル関係リストを記憶するためのメモリ（７２、７４）と、
制御装置とを備え、
前記制御装置は、
セルが運用のために最近起動されたことを判定し、
前記メモリ内に記憶された隣接セル関係リスト情報に基づいて、前記起動されたセルの隣接セルである第１のセルを識別し、
前記起動されたセルについての隣接セルリストの中に所定数の隣接セルが含まれるまで、前記第１のセルに関連する１つ以上の隣接セルを、起動されたセルに関連する隣接セルとして追加するように構成されることを特徴とするネットワークノード。
【請求項３１】
前記ネットワークノードは、前記第１のセルにサービス提供する基地局に前記第１のセルの前記隣接セル関係リスト情報を提供するように構成された中央ノード（７０）であることを特徴とする請求項３０に記載のネットワークノード。
【請求項３２】
前記第１のセルは閉域加入者グループ（ＣＳＧ）セルであり、かつ、前記第１のセルの前記隣接セル関係リスト情報が、前記第１のセルにサービス提供する第１の基地局によって、前記ＣＳＧセルにサービス提供するＣＳＧ基地局に提供されることを特徴とする請求項３０に記載のネットワークノード。
【請求項３３】
無線端末（２０）であって、
無線トランシーバ回路機構（６０）と、
前記無線トランシーバ回路機構に接続するデータ処理システム（６２）とを備え、
前記データ処理システムが、
隣接セルに関連する隣接基地局によって送信された信号を受信して、関連する信号品質を判定し、
所定の信号品質閾値を上回る、隣接基地局によって送信されたこれらの信号を識別し、
アクセス制限セルに関連するアクセス制限基地局によって送信された信号の信号品質が、所定の信号品質閾値を上回る非アクセス制限基地局によって送信された信号の信号品質を上回るかどうかを判定して、そうであるならば、前記アクセス制限基地局へ登録要求を送信するように構成された電子回路機構（６６）を有することを特徴とする無線端末。
【請求項３４】
前記電子回路機構が、前記ＣＳＧセルに対応する前記信号品質測定結果が、非ＣＳＧセルに対応する信号品質測定結果を所定の量上回ることがないならば、登録要求を、前記所定の信号品質閾値を上回る信号品質測定結果に関連する非ＣＳＧセルのうちの１つへ送信するように構成されることを特徴とする請求項３３に記載の無線端末。
【請求項３５】
前記識別された信号の一部がアクセス制限セルに対応し、前記電子回路機構が、前記アクセス制限基地局へ登録要求を送信することを試行する前に、前記無線端末がこれらのアクセス制限セルのうちの少なくとも１つにアクセスできるかどうか判定するように構成されることを特徴とする請求項３３に記載の無線端末。
【請求項３６】
無線端末（２０）であって、
無線トランシーバ回路機構（６０）と、
前記無線トランシーバ回路機構に接続するデータ処理システム（６２）とを備え、
前記データ処理システムが、
隣接セルに関連する隣接基地局によって送信された信号を受信して、関連する信号品質を判定し、
所定の信号品質閾値を上回る、隣接基地局によって送信されたこれらの信号を識別し、
アクセス制限セルに関連するアクセス制限基地局によって送信された信号の信号品質が、非アクセス制限基地局によって送信された信号の信号品質を所定の量上回るかどうかを判定して、そうであるならば、前記トランシーバ回路構成を介して、前記サービス提供基地局へ送信される測定結果報告をトリガするように構成された電子回路機構（６６）を有することを特徴とする無線端末。
【請求項３７】
前記再構成された所定の量が、前記無線トランシーバ回路機構を介して、前記サービス提供基地局によって再構成されうることを特徴とする請求項３６に記載の無線端末。
【発明の詳細な説明】
【技術分野】
【０００１】
本技術分野は無線通信に関し、詳細には、隣接セル関係を含むセルラー無線通信に関する。
【背景技術】
【０００２】
代表的な無線通信システムでは、無線端末またはユーザ装置端末ＵＥと呼ばれる無線通信端末は、無線アクセスネットワーク（ＲＡＮ）を介してインターネットのような他のネットワークと通信する。無線アクセスネットワーク（ＲＡＮ）は、ある地理的エリアをカバーし、その地理的エリアはセルに分かれ、各セルは、１つの基地局、例えば無線基地局（ＲＢＳ）のサービス圏内にあり、無線基地局は、ネットワークによっては、「ノードＢ」と呼ばれたり、エンハンストノードＢすなわち「ｅＮｏｄｅＢ」と呼ばれたりすることもある。各基地局は、典型的には複数のセルにサービス提供する。一般的な配置の１つは、３セル基地局配置であり、この場合、１つの基地局は３つのセルにサービス提供する。無線端末は主に、その無線端末が存在するサービス提供セルの中のサービス提供基地局によってサービスが提供される。一部の技術では、通信リンクは、特定の無線端末とそのサービス提供セルとの間で確立されるだけでなく、その無線端末と他のセルとの間でも確立される。この場合、端末は、大規模ダイバーシチまたはソフトハンドオーバと呼ばれるものを用いて、複数の基地局によってサービス提供される。
【０００３】
基地局は、無線端末との間で信号を送受信する。信号は、特定の無線端末との間で送受信される専用信号と、セルの中の無線端末の部分集合を対象とするマルチキャスト信号と、セルの中のすべての無線端末に対する基地局からの同報信号とのうち、いずれであってもよい。基地局は、サービス提供セルの同報チャネルを用いて、セルの中のすべての無線端末に対して情報を同報する。
【０００４】
最近、ブロードバンドインターネットサービスに接続し、かつ、フェムトセルと呼ばれることもある極めて小さいエリアをカバーする、小規模基地局の導入が進んできた。フェムトセルは、ＷｉＦｉの「ホットスポット」と類似しているが、ワイヤレス・ローカル・エリア・ネットワーク（ＷＬＡＮ）ではなくセルラーネットワークの一部である。フェムト基地局は、もっと大型の「大規模（マクロ）」基地局と多くの意味で同様に機能するのだが、それよりはるかに小規模に、例えば共同住宅、家屋、事務所等の、狭い空間に合わせて設計された低出力で機能する。ピコとは、「小さい」を意味するこれらの小規模基地局の別名であり、この場合、「フェムト」は、さらに小型であることを意味する。フェムト基地局は、大規模基地局タワー同士が接近していることが原因で、あるいは単に、信号を妨害する建物やその他の障害物の材料が原因で、通常の大規模基地局と移動電話との間の信号品質が悪い、より狭い室内または閉じた空間の中で、より良い信号を提供する。従来型基地局を用いる代わりに、移動端末は、フェムト基地局を用いてＩＰネットワークにアクセスする。
【０００５】
図１は、小規模基地局と従来型の大規模基地局とを含むセルラー通信システムの一例を示す。第１の建物１は、大規模基地局３から無線信号を受信する無線端末２を含む。無線基地局３は、直接かまたは無線アクセスネットワーク４を通して、コアネットワーク５に接続している。コアネットワーク５は、インターネット６およびその他のネットワークへのアクセスを提供する。第２の建物７は、小規模基地局９から無線信号を受信するもう１つの無線端末８を含む。小規模基地局９は、典型的には何らかのブロードバンドアクセスメカニズム（有線またはワイヤレス）を介して、直接かまたは無線アクセスネットワーク４を通してコアネットワーク５に接続していてもよい。この場合もやはり、コアネットワーク５は、インターネット６およびその他のネットワークへのアクセスを提供する。小規模基地局は建物７の内側に位置しており、かつ、典型的には建物７の内部またはその近接地におけるカバー範囲を提供することだけを目的としているため、その送信出力は、大規模基地局３の送信出力より相当低いことがあり、大規模基地局は、はるかに大きくて多様なサービスエリアを有し、また同時に高速のデータ速度サービスを提供している。
【０００６】
小規模基地局は通常、例えば、あるグループ内のユーザだけがその小規模基地局からサービスを受けることができるような、限定されたユーザグループを有する小さなセルエリアにサービス提供する。多くの場合、ユーザは、小規模基地局を小売店で購入して、それを電気のコンセントと家庭内、事務所内、学校内等のデータネットワークとにつなぐことによってそれを設置してもよい。これらの小規模基地局は、ホーム基地局、フェムト基地局、ピコ基地局等と呼ばれることもある。大型の大規模基地局が、限定されたユーザグループだけにアクセスを許可してサービスを提供してもかまわないが、小規模基地局の方がより代表的な例である。本願では、限定されたユーザグループだけにアクセスを許可してサービスを提供する基地局であれば、いずれも閉域加入者グループ（ＣＳＧ）基地局と呼ばれる。ＣＳＧ基地局は、限定された無線端末の集合だけにアクセスを許可する１つまたは複数のＣＳＧセルにサービス提供する。また、ＣＳＧセルは、例えば企業ネットワークをサポートするための、アクセス制限を伴うネットワークを編成するのに用いられてもよい。このように閉鎖されたり制限されたりすることがそれほどではない基地局は、「開放型」基地局と呼ばれる。
【０００７】
現在のセルラー無線システムには、例えば、広帯域符号分割多元接続（ＷＣＤＭＡ）を用いて運用される第三世代（３Ｇ）のユニバーサル・モバイル・テレコミュニケーション・システム（ＵＭＴＳ）と、直交周波数多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：ＯＦＤＭＡ）を用いて運用されるＵＭＴＳのＬｏｎｇ  Ｔｅｒｍ  Ｅｖｏｌｕｔｉｏｎ（ＬＴＥ）のような第四世代（４Ｇ）システムとが含まれる。ＬＴＥおよびＳｙｓｔｅｍ  Ａｒｃｈｉｔｅｃｔｕｒｅ  Ｅｖｏｌｕｔｉｏｎ（ＳＡＥ）の標準化作業における１つの重要な焦点は、新たなネットワークは導入が簡単で、かつ、運用のコスト効率が高いということを保証することである。その構想は、新たなシステムは、できるだけ多くの側面で自己最適化し、自己構成するであろうということである。そのような側面の１つは、従来型の大規模セルレイヤと同じ周波数帯域上で、原則的に構成を行わず、閉域加入者グループセル（ＣＳＧセル）を自動統合して処理することである。
【０００８】
ＣＳＧ基地局の設置には、さまざまな動機がありうるし、そして、さまざまな問題もある。例えば、自分のＣＳＧ基地局に接続しているエンドユーザは、大規模基地局に接続している場合と同じサービスを依然として受けつつ、大規模ネットワークと比べて価格／性能比を向上させることを望む。またユーザが、大規模セルに滞在している場合より速いデータ速度とより良いサービス品質とを期待することすらある。加えて期待されているのは、ＣＳＧ基地局の設置手順が簡単かつ原則として自動的であることであり、それには、大幅な手動設定をしなくても、承認されたユーザのためにＣＳＧ基地局との間のハンドオーバをサポートすることが含まれる。問題の１つは、場合によってはＣＳＧ基地局が大規模基地局より呼管理能力が低いことから生じるものであり、従って、ＣＳＧ基地局は、加入機能および承認機能を実行する能力が劣ることがある。そのような場合には、ＣＳＧ基地局に対する多くの未承認のハンドオーバ要求と、それに応じたその後のハンドオーバ拒否とが、ＣＳＧ基地局の性能を妨げるであろう。もう１つの問題は、ＣＳＧ基地局を用いることを承認される新規ユーザの追加が便利であることが望ましいということである。さらに、同一の運用事業者への特定の加入を行っているすべてのユーザが、いずれかのＣＳＧ基地局かまたはＣＳＧ基地局の部分集合を使用することを承認されている場合に、運用事業者がＣＳＧ基地局を販売できれば有利である。
【０００９】
ＬＴＥおよびＷＣＤＭＡにおけるハンドオーバはモバイル支援付きであるが、このハンドオーバがモバイル支援付きというのはつまり、サービス提供基地局からおよびハンドオーバ「候補」基地局に関連する他の代替セルから受信した信号の品質（例えば信号強度）について無線端末が行った測定の結果を、無線端末が自分のサービス提供基地局に報告することを意味する。他の代替セルはセル識別子を用いて識別される。そのような物理的識別子の限定的でない例として、ＷＣＤＭＡならセルのダウンリンクのスクランブルコード番号、そしてＬＴＥならセルの参照信号の波形を記述する物理セル識別子がある。無線端末は、（基地局が複数のセルにサービス提供していると仮定すると）同じ基地局のサービス圏内の別のセルについて報告してもよいし、異なる基地局のサービス圏内の別のセルについて報告してもよい。
【００１０】
隣接セル関係（ＮＣＲ）リストは、ハンドオーバのためのセルリスティング関連の（例えば隣接）候補セルに関連するリストである。各候補セルについて、リスト情報には、物理セルＩＤとグローバルに一意のセルＩＤとを含むセル識別子と、例えば通信リンクがサービス提供基地局と候補セルの基地局との間でどのように確立されうるかといった接続性情報と、そして、例えばＣＳＧセル、マクロセル、マイクロセル等のようなセルのタイプの情報とが含まれる。隣接セル関係リストは、基地局の中に記憶されてもよいが、場合によっては複数のノードの中のＮＣＲリストを定期的に更新するかたちで、他のノードの中にも記憶されてよい。
【００１１】
無線端末による測定結果報告の送信は、典型的には、トリガされるか、すなわち、イベントトリガによって行われるか、イベントトリガによって周期的に行われるか、または周期的に行われる。イベントトリガによる報告の場合、無線端末は、設定された基準に適合した場合、自分のサービス提供基地局に報告を送信する。そのような基準の一例は、新規セルの品質が、サービス提供セルと所定のオフセットとの間の範囲内にある所定の時間内に測定されることである。所定の時間とオフセットとは、サービス提供基地局によって無線端末に提供される。そのような基準の別の例は、以前はサービス提供セルと所定のオフセットとの間の範囲内にあったセルが、所定の時間だけ範囲外に移動することである。イベントトリガによる報告は、結果として、１つのイベントをトリガした時に１つの測定結果報告をもたらす。イベントトリガによる周期的報告の場合、無線端末は、イベントのトリガの後で所定数の周期の間かまたは別のトリガ条件に適合するまでの間かいずれか一方の間、測定結果報告を周期的に送信し続ける。周期的報告の場合、無線端末は定期的に測定結果を報告する。例えばＧＳＭのような第二世代システムの場合、典型的にはこれであった。
【００１２】
無線端末は典型的には、トリガイベントが適合しているかどうか調べる場合にすべてのセルを検討する。他方、何らかの形でアクセス禁止と示されている代替セルについては、無線端末が検討も報告もしないことが望ましい。複数のセルの禁止ステータスを伝達する１つのやり方は、サービス提供基地局が、セルのブラックリストをサービス提供セルの同報チャネルで同報する（すなわち、サービス提供セルがセル識別子のブラックリストを同報する）ことである。もう１つのやり方は、無線端末が、サービス提供基地局によって同報された「ホワイト」リストに含まれるセルだけをサービス提供セルの同報チャネルで報告することである。ホワイトリストは、逆ブラックリストと考えられてもよい。ブラックリストに多数のセルが存在するときには、ホワイトリストをシグナリングする方が効率的であろうし、逆も同様である。第３のやり方は、禁止セルの各サービス提供基地局が、禁止セルへのアクセスは禁じられていることを示すメッセージを、自分の同報チャネルで同報することである。すべての無線端末は、セルについて報告する前にこの指示をチェックすべきである。そのような指標の例として、「Ｃｅｌｌ  Ｂａｒｒｅｄ（禁止セル）」、「Ｃｅｌｌ  Ｒｅｓｔｒｉｃｔｅｄ（制限セル）」、または「ＣＳＧセル」等がある。
【発明の概要】
【発明が解決しようとする課題】
【００１３】
ＣＳＧ基地局が典型的な「開放型」基地局として導入される場合には、ＣＳＧ基地局は、ＣＳＧの一部ではない未承認無線端末のための多くのハンドオーバ要求を処理する可能性が高いであろうし、また結果として、これらの要求を拒否しなければならない。これは、ＣＳＧ基地局にとって重大かつ不要な処理負荷を生じる。従って、ハンドオーバ関連のシグナリングおよびＣＳＧセルに関して、さまざまな問題がある。
【００１４】
しかしまた、ＣＳＧセルについてハンドオーバ測定結果を報告しない無線端末に関する問題も存在する。その１つは、無線端末は、新規に導入されたＣＳＧセルを許可された候補セルであるとは考えない可能性があるため、新規に導入されたＣＳＧセルをどのようにして初期設定するかである。もう１つの問題は、特にＣＳＧが個人の家屋内で使われる場合に、長い期間の間にＣＳＧセルの基地局の電源がオフにされる可能性があるということである。そのＣＳＧセルがアクティブであったとき以来、ネットワークのステータスが変化したかもしれない、例えば、ローカルな基地局識別子が、再割当てされたり修正されたりしたかもしれず、それは、隣接セル関係が変化したことを意味する。また、ＣＳＧセルは、前回起動された後で移動したかもしれない。例えば、ＣＳＧセルが、オフィスや、会議施設のような別のビジネスサイトやクライアントサイトへ、あるいは別の家へ移動したかもしれない。そのようなＣＳＧセルについての以前の隣接セル関係情報は、ＣＳＧセルの隣接先はもはや隣接先ではない可能性が高いことから、ほとんど無価値であるかもしれない。
【課題を解決するための手段】
【００１５】
隣接セル関係リストは、ＣＳＧ基地局のサービス圏内の閉域加入者グループ（ＣＳＧ）セルに特に有利な複数のやり方で初期設定され、管理される（ＣＳＧに属する無線端末だけが、ＣＳＧセルにアクセスしてＣＳＧセルからサービスを受けることを許可される）。無線端末は、測定結果報告のトリガの中でＣＳＧセルを検討するように自分のサービス提供基地局によって命令されないかぎり、ＣＳＧ基地局から受信した信号の信号品質測定結果を自分の各サービス提供基地局に報告してはならないということを一般的に示す情報が、ＣＳＧセルに隣接する各セルの中の無線端末に提供される。あるＣＳＧセルが起動されると、同じ環境で以前そのＣＳＧセルが起動されたことがあるかどうかが判定される。そうであるならば、そのＣＳＧセルについての隣接セル関係情報が、他のネットワークノードを使って更新される。そうでないならば、そのＣＳＧセルの隣接セル関係リストが初期設定される。
【００１６】
環境とは、隣接セル関係に影響を与えるネットワーク環境のことである。例えば、ＣＳＧセルが前回起動された後でのＣＳＧセルの位置の変化は、環境の変化である。もう１つの例示的な環境の変化は、ＣＳＧセルが前回起動された後でのセルネットワーク内の複数のセルについての隣接セル関係情報の変化である。たとえそのＣＳＧセルが同じ位置に存在している場合でも、他の各隣接セルが移動していたり、接続情報を変更していたり、あるいはそれらのセルＩＤを変更していたりすることがある。更新手順の間に、起動されたセルの隣接セル関係リスト情報が、環境の変化が生じたと結論付けられるほど十分に変化したことが発見される可能性もある。
【００１７】
ＣＳＧセルは、以下のとおり初期設定される。まず、各無線端末は、それらがＣＳＧ基地局によって送信された信号を所定の信号品質で、または所定の信号品質を上回る品質で受信した場合には、あるいは、ＣＳＧ基地局によって送信された信号の受信信号品質が、サービス提供基地局によって送信された信号の信号品質より所定の量だけ高い場合には、各無線端末は、たとえ各無線端末がＣＳＧセルについて報告しないように命令されていたとしても、ＣＳＧセルについての信号品質の測定結果をそれらの各サービス提供セルに報告してもよいことを、それらのサービス提供基地局によって通知される。次いで、ＣＳＧセルのための隣接セルリストの中に所定数の隣接セルが含まれている場合、各無線端末は、ＣＳＧセルの閉域加入者グループの中のこれらの各無線端末だけが、ＣＳＧ基地局からの受信信号品質がどのくらい良いかに関らず、ＣＳＧセルについての信号品質測定結果をそれらの各サービス提供セルに報告してもよいことを通知される。これらのステップは、サービス提供基地局によって行われても、ＣＳＧ基地局によって行われても、あるいはＣＳＧ基地局に接続しているネットワークノードによって行われてもよい。加えて、アイドル状態の１つの無線端末が、ＣＳＧセルについての信号品質測定結果は非ＣＳＧセルについての信号品質測定結果を上回っていると判定する場合、その端末は、ＣＳＧセルへの登録を試行してもよい。
【００１８】
サービス提供セルは、サービス提供されている無線端末からの実際の測定結果報告、例えば、サービス提供基地局が自分の隣接セル関係リストにすでにリスト済みの未承認無線端末によって報告されたＣＳＧセルの数に基づいて、上述した所定の閾値と所定の量とを調整してもよい。
【００１９】
ネットワークノードは、関連する基地局を有する各セルについて隣接セル関係リストを記憶するためのメモリと制御装置とを有する。ネットワークノード内の制御装置が、セルが運用のために最近起動されたと判定すると、制御装置は、メモリ内に記憶された隣接セル関係リスト情報に基づいて、起動されたセルの隣接セルである第１のセルを識別する。次いで制御装置は、起動されたセルについての隣接セルリストの中に所定数の隣接セルが含まれるまで、第１のセルに関連する１つ以上の隣接セル関係を、起動されたセルに関連する隣接セル関係として追加する。限定的でなく例示的な一実施形態において、各基地局は、開放型アクセスセルに関連する開放型基地局と、ＣＳＧに属する無線端末だけがＣＳＧセルにアクセスしてＣＳＧセルからサービスを受けることが許可されているようなＣＳＧセルにサービス提供している閉域加入者グループ（ＣＳＧ）基地局とを含む。この例では、起動されたセルはＣＳＧセルであり、そして、ネットワークノード内のメモリは、（ｉ）各開放型セルについての隣接セル関係リストと、（ｉｉ）各ＣＳＧセルについての隣接セル関係リストと、そして（ｉｉｉ）複数の無線端末の各々について、その無線端末がアクセスしてそこからサービスを受けることが承認されているすべてのＣＳＧセルを識別するＣＳＧ承認リストとを記憶する。ネットワークノードは、１つ以上の適切なインタフェースを介して開放型基地局と閉域基地局とに接続している中央ノードであってもよい。中央ノードの一例として、運用支援システム（ＯＳＳ）がある。
【００２０】
基地局が、制御装置と、サービス提供される各セルについて隣接セル関係リストを記憶するためのメモリとを含む。基地局内の制御装置が、サービス提供される１つのセルは最近運用のために起動されたと判定すると、基地局内の制御装置は、メモリ内に記憶された隣接セル関係リスト情報に基づいて、起動されたセルの隣接セルである第１のセルを識別する。次いで基地局内の制御装置は、第１のセルにサービス提供する第１の基地局に対して、第１のセルの隣接セル関係リストについて問い合わせを行い、その後、起動されたセルについての隣接セルリストの中に所定数の隣接セルが含まれるまで、第１のセルに関連する１つ以上の隣接セル関係を、起動されたセルに関連する隣接セル関係として追加する。限定的でなく例示的な一実施形態において、各基地局は、開放型アクセスセルに関連する開放型基地局と、ＣＳＧに属する無線端末だけがＣＳＧセルにアクセスしてＣＳＧセルからサービスを受けることが許可されているようなＣＳＧセルにサービス提供する閉域加入者グループ（ＣＳＧ）基地局とを含む。この例では、起動されたセルはＣＳＧセルであり、そして、ＣＳＧ基地局内のメモリは、各ＣＳＧセルについての隣接セル関係リストを記憶する。
【００２１】
隣接セルに関連する隣接基地局によって送信される信号を受信する無線端末が、関連する信号品質を判定して、所定の信号品質閾値を上回るものを識別する。アクセス制限セルを監督するアクセス制限基地局の信号品質測定結果が、非アクセス制限基地局に関連する信号品質測定結果を所定の量だけ上回っているかどうかの判定が行われる。そうであるならば、端末は、アクセス制限基地局へ登録要求を送信する。ＣＳＧセルに対応する信号品質測定結果が、非ＣＳＧセルに対応する信号品質測定結果を所定の量だけ上回っていないのならば、無線端末は、それの関連する信号品質測定値が所定の信号品質閾値を上回るような非ＣＳＧセルのうちの１つへ登録要求を送信する。
【図面の簡単な説明】
【００２２】
【図１】セルラー通信システム内の大規模基地局と小規模基地局とを図解する図である。
【図２】マクロセルおよび大規模基地局並びにＣＳＧセルおよびＣＳＧ基地局を備えたセルラー通信システムを図解する図である。
【図３】大規模基地局とＣＳＧ基地局とを含む例示的なＬＴＥ移動無線通信システムの機能ブロック図である。
【図４】基地局の、限定的でなく例示的な機能ブロック図である。
【図５】無線端末の、限定的でなく例示的な機能ブロック図である。
【図６】セルリストを記憶する中央ノードの、限定的でなく例示的な機能ブロック図である。
【図７】起動されたＣＳＧセルについての、限定的でなく例示的な手順を図解するフローチャート図である。
【図８】起動されたＣＳＧセルについての隣接セル関係を迅速に構築するための、限定的でなく例示的な手順を図解するフローチャート図である。
【図９】起動されたＣＳＧセルについての隣接セル関係を迅速に構築するための、限定的でなく例示的な手順を、ＣＳＧセルについての最初の一時的なＵＥ測定結果報告と連結して図解するフローチャート図である。
【図１０】最初にＣＳＧセルについての広域のＵＥ測定結果報告を用いた後に狭域のＵＥ測定結果報告を用いる、起動されたＣＳＧセルについての、限定的でなく例示的な手順を図解するフローチャート図である。
【図１１Ａ】セル報告手順の、限定的でなく例示的な集合を図解するフローチャート図である。
【図１１Ｂ】図１１Ａのセル報告手順を実装するための、限定的でないシグナリングを図解する図である。
【図１２】ＣＳＧセルの近くでＵＥが起動された場合のセル選択手順の、限定的でなく例示的な１つの集合を図解するフローチャート図である。
【図１３】ＣＳＧセルの近くでＵＥが起動された場合のセル選択手順の、限定的でなく例示的なもう１つの集合を図解するフローチャート図である。
【発明を実施するための形態】
【００２３】
以下の記述において、記述された技術の理解を提供するために、限定ではなく説明を目的として、例えば特定のノード、機能的エンティティ、技法、プロトコル、標準等の具体的詳細について記述する。それ以外の場合、不要な詳細によって記述を分かりにくくしないよう、よく知られた方法、デバイス、技法等の詳細説明は省略する。図面には、個別の機能ブロックを示す。当業者であれば、これらのブロックの機能は、個別のハードウェア回路を用いて、または、適切にプログラムされたマイクロプロセッサまたは汎用コンピュータと関連してソフトウェアプログラムとデータとを用いて、または、特定用途向け集積回路（ＡＳＩＣ）、プログラマブル・ロジック・アレーを用いて、または、１つ以上のデジタル・シグナル・プロセッサ（ＤＳＰ）を用いて、または、これらの組み合わせを用いて実装されてもよいことを理解するであろう。
【００２４】
図２は、マクロセルおよび大規模基地局並びにＣＳＧセルおよびＣＳＧ基地局を備えたセルラー通信システムを概念的に図解する図である。この簡略化した例では、２つの隣接するマクロセルＭ１およびＭ２と、対応する大規模基地局である大規模ＢＳ１と大規模ＢＳ２とを示す。マクロセルＭ１の中には、ＣＳＧセル１と、それに関連するＣＳＧ基地局ＣＳＧ  ＢＳ１とがある。マクロセルＭ１に隣接して、ＣＳＧセル２と、それに関連するＣＳＧ基地局ＣＳＧ  ＢＳ２とがある。Ｒ１乃至Ｒ４として示す同報無線信号が、これらの各基地局からＵＥ／無線端末に到達することを示す。大規模ＢＳ１は、現時点で無線端末のサービス提供基地局であると想定されており、無線端末は、大規模ＢＳ２、ＣＳＧ  ＢＳ１、およびＣＳＧ  ＢＳ２についての受信信号品質測定結果報告をサービス提供基地局である大規模ＢＳ１へと送信する能力を有する。無線端末がＣＳＧセル１またはＣＳＧセル２に近づくと、無線端末がそのセルのＣＳＧのメンバであるかどうかによって、これらのＣＳＧセルの１つに対するハンドオーバの機会がある。
【００２５】
本願の技術は、ＬＴＥシステムに好適であり、従って、説明のための限定的でなく例示的な文脈を提供するため、ＬＴＥシステムの文脈で記述されることもある。しかし、本技術は、例えばＷＣＤＭＡ等の、いかなる現代のセルラー通信システムに用いられてもよく、ＬＴＥに限定されない。図３は、ＬＴＥタイプの移動通信システム１０の一例を図解する図である。Ｅ−ＵＴＲＡＮ１２には、無線インタフェースによってユーザ装置（ＵＥ）端末２０に対するＥ−ＵＴＲＡユーザプレーンおよび制御プレーンのプロトコル終端を提供する、Ｅ−ＵＴＲＡＮノードＢ（ｅＮｏｄｅＢ）１８（１つだけ図示する）が含まれる。また、２つのＣＳＧ基地局１９も示す。基地局１８および基地局１９は、Ｓ１インタフェースを介して、Ｍｏｂｉｌｉｔｙ  Ｍａｎａｇｅｍｅｎｔ  Ｅｎｔｉｔｙ（ＭＭＥ）を有するＥｖｏｌｖｅｄ  Ｐａｃｋｅｔ  Ｃｏｒｅ（ＥＰＣ）１４と、そして、Ｓｙｓｔｅｍ  Ａｒｃｈｉｔｅｃｔｕｒｅ  Ｅｖｏｌｕｔｉｏｎ（ＳＡＥ）Ｇａｔｅｗａｙと通信する。この例では、ＭＭＥ／ＳＡＥ  Ｇａｔｅｗａｙは単一ノード２２として示されており、いろいろな意味でＵＭＴＳおよびＧＳＭ／ＥＤＧＥにおけるＳＧＳＮ／ＧＧＳＮに類似している。しかし、ＭＭＥとＳＡＥとは、別個のノードであってもよい。ＭＭＥ／ＳＡＥゲートウェイ同士が、Ｓ１０インタフェースを介して通信してもよい。ＭＭＥ／ＳＡＥに、例えば隣接セル関係（ＮＣＲ）リスト、ブラックリストおよびホワイトリストまたはそのいずれか等を含めて、基地局のためのセルリストを記憶するためのメモリ２３が含まれてもよい。Ｅ−ＵＴＲＡＮ１２とＥＰＣ１４とは一緒に、公衆陸上移動通信網（ＰＬＭＮ）を形成する。各ＭＭＥ／ＳＡＥゲートウェイ２２は、直接的または間接的に、インターネット１６および他のネットワークに接続されている。基地局１８および１９は、場合によってはＭＭＥ／ＳＡＥ２２を介して、ＨＬＲデータベースおよび／またはＶＬＲデータベースを含むＨｏｍｅ  Ｓｕｂｓｃｒｉｂｅｒ  Ｓｅｒｖｅｒ（ＨＳＳ）２４と通信してもよい。
【００２６】
無線ネットワークは、効率的な無線端末ＵＥ測定結果報告手順をサポートするため、基地局／セルの一意でない物理的識別子（ローカル識別子と以下で呼ぶ）を用いることが多い。しかし、基地局／セルは、グローバルに一意であるセル識別子も有している。前述のＬＴＥの例示的な実施形態については、Ｃｅｌｌ  Ｇｌｏｂａｌ  Ｉｄｅｎｔｉｆｉｅｒ（ＣＧＩ）と呼ばれる各セルのための一意の識別子と、ＰＬＭＮにおける各セルについて一意であるほど十分長くはない、同じセルのためのＰｈｙｓｉｃａｌ  Ｃｅｌｌ  Ｉｄｅｎｔｉｔｙ（ＰＣＩ）と呼ばれる物理レイヤ１識別子／ローカル識別子とが存在すると想定される。測定結果報告には、帯域幅を節約して使うため、短い方のＰＣＩが用いられる。ＬＴＥでは、現行の例示的な想定は、５０４個の一意のＰＣＩ値を有することである。受信信号品質測定結果については、無線端末は、受信基地局の同報参照シンボルを監視して基地局の参照シンボル受信電力（ＲＳＲＰ）を測定する。最初のセル選択およびハンドオーバを行う場合には、これらの測定結果が用いられる。従って、各無線端末の視点からは、無線端末が検出できるＰＣＩとＣＧＩとの間にローカルな１対１マッピングが存在することは重要である。これは、セル関係が確立されているならば、無線端末がそのサービス提供基地局にＰＣＩを報告するときに、サービス提供基地局が報告されたＰＣＩをサービス提供セルの隣接セル関係リストの中のエントリに関連付けることができるということを意味する。ＷＣＤＭＡシステムでは、一例において５１２個の異なるスクランブルコードがある場合、ＰＣＩは「スクランブルコード」に対応してもよい。ＰＣＩ値は、セルの最初の設定手順の一部としてネットワーク内の各セルに割り当てられる。これらのＰＣＩ値は、時間の経過と共に、再検討［再割当て？変更？］されてもよい。１つの方策は、ＰＣＩの集合を部分集合に（例えばいろいろなＰＣＩ値の範囲に）分割して、各部分集合を特定のセルタイプに対して予約することであってもよい。限定的でない一例として、ＣＳＧセルに、１から２０までの範囲でＰＣＩが割り当てられてもよい。
【００２７】
次に、図２および図３に示すシステムならびに他の同様のシステムにおいて、自分自身のＣＳＧセルを探索する無線端末に関連するリソースを削減して、無線端末が承認されないかぎり、不要なＣＳＧセル測定および報告を制限する技術について記述する。これによって、ネットワーク全体の性能が向上する。無線端末はＢＳからＣＳＧセルへのハンドオーバの間サポートされ、それと同時に他方では、未承認のＣＳＧセルに関する測定および報告をネットワーク内のすべての無線端末に行わせることの悪影響が、大幅に削減される。
【００２８】
限定的でなく例示的な一実施形態において、あるＣＳＧセルはあるＣＳＧへのアクセスだけを制限することを示す指標を、すべてのＣＳＧ基地局がＣＳＧセルの同報チャネルで同報する。そのような指標の例として、禁止セル、制限セル、またはＣＳＧセルがある。指標は、測定結果報告のトリガの中で特定のＣＳＧセルに関連する信号品質測定結果を検討するように無線端末に命令する特定の命令がサービス提供基地局から無線端末に送信されないかぎり、同報チャネルでＣＳＧセルから受信したそのような指標を含む同報信号の信号品質を無線端末は報告すべきでないという一般的な規則を、実施する。限定的でなく例示的な別の実施形態では、サービス提供セルの隣接セルとして登録されたすべてのＣＳＧセルの物理的セルＩＤ（例えばＬＴＥにおけるＰＣＩ）を含めて、サービス提供基地局が「ブラックリスト」をサービス提供セルの同報チャネルで同報する。これによって、未承認の無線端末からの、ＣＳＧセルからの測定結果の報告が回避される。同様のタイプのメッセージを無線端末に伝達するための他の技法もありうる。
【００２９】
サービス提供基地局は、望ましい場合には、たとえそのＣＳＧセルにサービス提供しているＣＳＧ基地局がそのＣＳＧセルの同報チャネルで、あるＣＳＧセルはあるＣＳＧへのアクセスを制限しているか、または、そのＣＳＧセルが、サービス提供セルの同報チャネルでサービス提供基地局によって同報される「ブラックリスト」上で識別されているか、または、その他のやり方で禁止セルとして識別されていることを示すような指標を同報した場合であったとしても、測定結果報告トリガの中で特定のＣＳＧセルに関する測定結果を各無線端末が検討すべきであることを無線端末に通知するメッセージを１つ以上の無線端末に送信してもよい。そのような指標の例として、禁止セル、制限セル、またはＣＳＧセルがある。さらに、「ブラックリスト」が、専用のやり方で個々の無線端末に対してシグナリングされてもよい。
【００３０】
ブラックリストのかたちで用いられるこの禁止セル情報は、基地局のサービス圏内のセルに無線端末が接続する場合に、例えばセルへのハンドオーバまたはセルへの無線端末登録が成功した後で、基地局によって取得されてもよい。その場合、サービス提供基地局は、中央ノード（例えばＬＴＥにおけるＭＭＥまたはＷＣＤＭＡにおけるＳＧＳＮ、例えばＨＳＳのような加入者および加入情報データベース、あるいは、無線端末文脈情報を維持管理するその他の何らかのノード）に確認して、大規模基地局に隣接するいずれかのＣＳＧセルにアクセスすることを無線端末が承認されているかどうか判定する。中央ノードは、サービス提供基地局にこれらの隣接ＣＳＧセルのリストをシグナリングする。次いでサービス提供基地局は、無線端末が、サービス提供基地局の隣接セル関係（ＮＣＲ）リスト上の１つ以上のＣＳＧセルにアクセスすることを承認されているならば、たとえこれらのＣＳＧセルにサービス提供するＣＳＧ基地局がこれらのＣＳＧセルはあるＣＳＧへのアクセスを制限しているか、または、これらのＣＳＧセルが「ブラックリスト」で識別されていることを示す指標をこれらのＣＳＧセルの同報チャネルで同報したとしても、これらのリストされ承認されたＣＳＧセルを測定結果報告トリガの際に検討するように無線端末に要求する命令を、無線端末に送信する。サービス提供基地局は、新たな「ブラックリスト」を無線端末へ送信していずれかの従来のブラックリストを差し替えることによって、ブラックリストを更新してもよい。このようにして、承認された無線端末だけが測定結果報告トリガの際にＣＳＧセルを「候補セル」として検討する。未承認の無線端末は、測定結果報告トリガの際にＣＳＧセルを検討しない。
【００３１】
また、ブラックリストの中で用いられる禁止セル情報は、無線端末登録の間に例えばＨＳＳのような中央ノードから基地局によって取得されてもよい。次いで、この禁止セル情報は、例えば、無線端末に関連する情報がハンドオーバの間に１つのサービス提供基地局から次の目標基地局にその中で移転されうるメッセージ「コンテナ」を用いて、ハンドオーバの間に次の目標基地局に渡されてもよい。
【００３２】
隣接セル関係リストを編成するための１つの例示的な方法が、２００７年２月２８日に出願され、「Ｓｅｌｆ  Ｃｏｎｆｉｇｕｒｉｎｇ  ａｎｄ  Ｏｐｔｉｍｉｓａｔｉｏｎ  ｏｆ  Ｃｅｌｌ  Ｎｅｉｇｈｂｏｕｒｓ  ｉｎ  Ｗｉｒｅｌｅｓｓ  Ｔｅｌｅｃｏｍｍｕｎｉｃａｔｉｏｎｓ  Ｎｅｔｗｏｒｋｓ」と題された、同一出願人によるＰＣＴ出願第ＰＣＴ／ＥＰ２００７／００１７３７号の中に記述されており、その開示を参照により本願に援用する。運用事業者やＣＳＧセルの所有者等は、中央ノードの中に記憶されたＣＳＧセルと承認済み無線端末との間の関連情報に、ユーザインタフェースを介してアクセスしてもよい。サービス提供基地局は、無線端末測定結果報告を処理してハンドオーバ手順を実行する際、それらがＣＳＧセルに関するものかあるいは別のマクロセルに関するものかどうかとは無関係に処理して実行することが好ましい。しかし、目標セルのタイプ、例えばＣＳＧセルに合わせたハンドオーバ手順が用いられてもよい。
【００３３】
マクロセルまたは開放型セルのサービス範囲が存在しない場合に無線端末がセル選択を行う場合、無線端末は、マクロセルまたは開放型セルのサービス範囲がある場合の一般原則とは逆に、制限セル、禁止セル、またはブラックリストにあるセルをセル接続候補として検討してもよい。また無線端末は、自分自身のＣＳＧセルへの接続を最初に試行するため、自分自身のセル識別子の値（例えばＣＧＩまたはＰＣＩ）を把握し続けてもよい。それが失敗した場合には、無線端末が知らない他のＣＳＧセルが承認されていることがあるため、無線端末は、自分が検出することができる別のセルへの接続を試行する。ＬＴＥの文脈では、無線端末が接続を承認されている各ＣＳＧセルの現行のＰＣＩ値またはＣＧＩ値を無線端末に通知するように、コアネットワークノードと無線端末との間の現行のＮｏｎ−Ａｃｃｅｓｓ  Ｓｔｒａｔｕｍ（ＮＡＳ）プロトコルが拡張されてもよい。別の例示的な代替案は、ショートメッセージサービス（ＳＭＳ）またはマルチメディアメッセージサービス（ＭＭＳ）メッセージあるいはそれに類似したものを、この情報を有する無線端末に送信することである。
【００３４】
図４は、開放型基地局１８とＣＳＧ基地局１９とのいずれか一方であってもよい基地局の、限定的でなく例示的な機能ブロック図である。基地局１８または１９は、無線インタフェースによって無線端末と通信するための１つ以上のアンテナ３０に接続している１つ以上の無線トランシーバ３２を有する。無線トランシーバ３２は、無線トランシーバ３２を介して送信されることになる情報と無線トランシーバ３２から受信される信号とについてベースバンド処理を行うベースバンドプロセッサ３６を有するデータ処理システム３４に接続する。またデータ処理システム３４は、サービス享受無線端末からだけでなく、ハンドオーバおよびセル選択動作で用いるセル選択手順の際に、並びに、隣接セル関係リストを生成する際にアクセスを開始する無線端末からも、場合によってはスキャンされた同報情報と無線信号品質測定結果とをトランシーバ３２から受信する、セル報告プロセッサ３８も有する。隣接セル関係リストは、メモリ４０の中に記憶される。基地局は、１つ以上のインタフェース４２を介して他のネットワークエンティティと通信する。セル報告プロセッサ３８は、ＮＣＲリストの更新および初期設定に関連する処理を行ってもよい。
【００３５】
図４がＣＳＧ基地局である場合の一例において、ＣＳＧ基地局は、ＣＳＧ基地局の所有者または運用事業者が、ＣＳＧ基地局が新たな環境にあることを中央ノードに通知するメッセージを（例えばインタフェース４２を介して）ＣＳＧ基地局から中央ノードへ送信することを可能にする、ソフトウェアに基づくメカニズム（例えばＣＳＧセルの内部のウェブサーバまたは小型ＬＣＤユーザインタフェース）およびハードウェアまたはそのいずれかに基づくメカニズム（例えばＣＳＧ基地局ユニットに取り付けられたスイッチまたはノブ）を有してもよい。また、ＣＳＧセルが禁止されているかどうかを、すなわち、各無線端末がＣＳＧセルについての測定結果をそれらのサービス提供基地局に報告すべきでないか、すべきであるかどうかを示す、ＣＳＧセル内のシグナリングまたはメッセージが、対話によって抑制されても／可能になってもよい。
【００３６】
各無線端末の承認は、インタフェース４２を介したシグナリングに基づいて行われる。さらに、新たな隣接セルが発見されると、それに続いて、その新規セルのサービス提供基地局に対する接続性情報、および、例えばセルタイプのような、セルについての他の情報を確立するために、インタフェース４２による通信が行われる。候補セルが報告されると、セル報告プロセッサ３８が、トランシーバ３２から測定結果を受信することによって、候補セルの監視を続けてもよい。候補セルに関連する測定結果は、ハンドオーバプロセッサ４３へ送信され、ハンドオーバプロセッサ４３は、ハンドオーバが有利であると考えられるかどうか、いつならハンドオーバが有利であると考えられるかについて判定する。ハンドオーバプロセッサ４３がハンドオーバを続行すると判定した場合、ハンドオーバ手順が、シグナリングを介して、トランシーバ３２を用いて無線端末と、インタフェース４２のうちの１つを介して次のサービス提供基地局と、そして、インタフェース４２のうちの１つを介してコアネットワークノードに対して行われる。
【００３７】
図５は、無線端末の、限定的でなく例示的な機能ブロック図である。無線端末２０は、無線インタフェースによって各基地局と通信するための１つ以上のアンテナ５８に接続している無線トランシーバ６０を有する。無線トランシーバ６０は、無線トランシーバ６０を介して送信されることになる情報と無線トランシーバ６０から受信される信号とについてベースバンド処理を行うベースバンドプロセッサ６４を有するデータ処理システム６２に接続する。またデータ処理システム６２は、トランシーバ６０を制御して無線信号品質を測定し（および場合によってはフィルタにかけ）、同報信号とＣＳＧ基地局を含む各隣接基地局からのこれらの信号が有する情報とをスキャンし、そしてサービス提供基地局によって構成された１つ以上の条件を評価することによって測定結果報告トリガを行う、無線信号測定プロセッサ６６を有する。トリガ条件が適合すると、測定プロセッサは、測定結果報告をサービス提供基地局へ送信する。上記で説明したように、測定結果報告トリガにおいて測定プロセッサ６６は、制限されているＣＳＧセルと制限されているにもかかわらずサービス提供基地局が無線端末に対して特別に考慮するように命令してはいなかったＣＳＧセルとを除くすべてのセルを検討する。また無線端末２０は、ユーザが無線端末をプログラムして無線端末と通信することを可能にするため、ユーザインタフェース６８を有する。
【００３８】
図６は、中央ノード７０の、限定的でなく例示的な機能ブロック図である。中央ノード７０は、管理機能、データ処理機能、および制御機能を実行するための制御装置７８を有しており、そして、適切なインタフェース７６を介して他のネットワークノードと通信する。ＣＳＧセル‐無線端末承認リスト７４と、ネットワーク内の各種のセル（開放型セルとＣＳＧの両方）のための隣接セル関係リスト７２と、そしてその他のリストとを記憶するため、例えばデータベースのようなメモリが提供される。ＣＳＧセル‐無線端末承認リスト７４は、場合によっては別の中央ノード内の情報を使ってリストを更新することによって、インタフェース７６を介して更新される。無線端末の識別子（例えばＩＭＳＩ）が、ネットワーク運用事業者によってかＣＳＧ基地局の所有者かいずれか一方によってＣＳＧセル‐無線端末承認リスト７４に追加されても／リスト内で置換されても／リストから削除されてもよい。これは、例えば電話番号を識別子として用いて、運用事業者のウェブインタフェースを介して行い、次いでそれらの識別子を無線端末のＩＭＳＩに変換することもできる。１つのセルの隣接セル関係リストは、その１つのセルにサービス提供している基地局と各リストを比較することによって更新することもできる。
【００３９】
図７は、起動されたＣＳＧセルについての、限定的でなく例示的な手順を図解するフローチャートである。ＣＳＧセルが起動されると（ステップＳ１）、ＣＳＧセルは、中央ノード７０との接続を確立し、そして接続手順の一部として中央ノード７０は、例えばＣＳＧセルのＩＰアドレスのような、ＣＳＧ接続性情報について通知を受ける。ステップ２で、例えばＣＳＧセルの基地局が中央ノード７０に確認することによって、ＣＳＧセルが前回起動されたときのＣＳＧセルの状態と同じネットワーク環境にＣＳＧセルがあるのかどうかの判定が行われる。環境とは、隣接セル関係に影響を与えるネットワーク環境のことである。例えば、ＣＳＧセルが前回起動された後でのＣＳＧセルの位置の変化は、環境の変化である。しばらく起動されていなかった後にセルが起動される場合、セルは、ユーザプレーンの接続性と制御プレーンとの接続を両方共確立し直す必要がありうる。この手順は、新規に導入されるセルの初期構成にかなり類似している可能性がある。この手順の一部として、中央ノードがＣＳＧセルに関する位置情報を検出することができる。それはＣＳＧセルのＩＰアドレスか、サブネットワーク情報か、インターネットサービスプロバイダか、または、場合によっては設置者のセル所有者によって入力された、セルが報告する位置情報か、またはそれらの組み合わせであってもよい。もう１つの例示的な環境の変化は、ＣＳＧセルが前回起動された後でのセルネットワーク内の複数のセルについての隣接セル関係情報の変化である。たとえＣＳＧセルが同じ位置に存在している場合でも、他の各隣接セルが移動していたり、接続性情報を変更していたり、あるいはそれらのセルＩＤを変更していたりすることがある。更新手順の間に、起動されたセルの隣接セル関係リスト情報が、環境の変化が生じたと結論付けられるほど十分に変化したことが発見されることがある。上記のように、ＣＳＧ基地局は、ＣＳＧ基地局が新たな環境にあることを示す信号をＣＳＧ基地局の所有者または運用事業者が中央ノードに送信することを可能にするメカニズムを提供してもよい。
【００４０】
環境が同じである場合には、ＣＳＧセルについての隣接セル関係リスト情報が、中央ノード７０を使って更新される（ステップＳ３）。更新することには、例えば、例えばセルＩＤの変更や、セルＩＰアドレスの変更等のような、ＣＳＧセルのＮＣＲリスト内の隣接セルに関する現行情報を更新することが含まれてもよい。起動された「第１の」セルの隣接セル関係リストには、ハンドオーバ候補セルについての情報、例えば候補セルのＰＣＩ、ＣＧＩ、および（他の基地局または中央ノードまたはその両方への）接続性情報が含まれる。第１のセルが前回起動された後で、他のセルのＰＣＩが変更されたり、一部のセルが除去されたり移動したりして、結果的にそれらの接続性情報が変更された可能性がある。情報が大幅に変更されたと更新手順によって判定された場合、環境が変化したと想定されてもよく、そしてセルは代わりに初期設定される。
【００４１】
第１のセルの隣接セル関係リストの中にある第２のセルとの接続が維持される場合、第１のセルは、第２のセルの現在ステータスについて問い合わせを行うことができる。第２のセルの隣接セル関係リストを用いて、第１のセルは、第２のセルについての自分の隣接セル関係リスト情報を更新する。セル関係情報は中央ノード７０の中に記憶されると想定すると、更新方法の代替案は、第１のセルが、自分の隣接セル関係リストの中の第２のセルについてのセル関係情報を、中央ノード７０のメモリの中に記憶されたＮＣＲリストからのこれらの第２のセルについての現行のセル情報を用いて更新することである。さらに第１のセルは、第２のセルの隣接セル関係リストから自分自身の隣接セル関係リストへセルを追加することを検討してもよい。これは、第１のセルの隣接セルリストの中にあるすべての第２のセルについて検討することもできるし、過去において最大数のハンドオーバを行った第２のセルに制限することもできる。
【００４２】
環境が同じでない場合には、ＣＳＧセルと他のセルとの間で隣接セル関係を確立する必要がある。加えて、ＣＳＧセルが、新規の物理セルＩＤを無作為に選んでもよい。ＣＳＧセルは最初は、セル起動後の、例えばＣＳＧセルの中のセル関係の数が閾値を上回るとか、あるいはタイマが満了する等の一定期間は、（「禁止セル」、「制限セル」、「ＣＳＧセル」等のように）禁止されていることを例えば示さないことによって、そのＣＳＧセルについての無線端末測定結果が他のセルに報告されることを可能にする（ステップＳ４）。またＣＳＧセルは、無線端末が少なくとも一度いずれかの他のセルにＣＳＧセルについて報告することを可能にする初期設定フラグを同報してもよい。また、この初期設定フラグは、あいまいさを回避するため、無線端末がＣＳＧセルのグローバル識別子（例えばＣＧＩ）を検出してそのグローバル識別子を信号品質測定結果と共にそのサービス提供セルに報告すべきであることを無線端末に示すことができてもよいだろう。さらに、ＣＳＧ基地局は、ＣＳＧ基地局の所有者または運用事業者が、ハードウェアとソフトウェアとのいずれか一方を介してＣＳＧセルのアクセス制限プロパティを変更することができるようにするメカニズムを有してもよい。次いで、ＣＳＧセルについて十分な数の隣接セルが識別されたかどうかの判定が行われる（ステップＳ５）。そうでない場合は、ステップＳ４でＣＳＧセルについての無線端末測定結果が、他のセルに報告され続ける。そうである場合は、その後ＣＳＧセルは、承認されたＣＳＧ無線端末がＣＳＧセルについての無線端末測定を他のセルに対して報告することだけを許可する（ステップＳ６）。
【００４３】
初期設定プロセスにおいて、隣接セル関係リストの確立は、いろいろなやり方で行いうる。以下に述べる３つの例示的なメカニズム、すなわち、迅速な隣接セル関係構築と、いずれかの移動装置から報告されることになる測定結果の最初の承認と、無線端末起動の際の特定無線端末選択手順とを、個々に用いてもよいし、組み合わせて用いてもよい。第１のメカニズムは、いかなるタイプのセルに用いられてもよいが、第２および第３のメカニズムは、主にＣＳＧセルに用いられる。
【００４４】
図８は、起動されたセルについての隣接セル関係を迅速に構築するための、限定的でなく例示的な手順を図解するフローチャート図である。セルが起動された（ステップＳ１０）後、起動されたセルの基地局、すなわち第１の基地局／セルと呼ばれる基地局によって、第１の隣接セル関係リストが隣接セルエントリを伴って存在するかどうかの決定が行われる（ステップＳ１１）。そうでない場合は、第１の起動されたセルの隣接関係リストは空である。従って、第１のセルの基地局は、第２の隣接セルの基地局からかまたは中央ノードから、第２の隣接セルについてすでに存在している１つ以上の隣接セル関係を取得する（ステップＳ１２）。必ずというわけではないが、できれば、第２のセルの隣接セルリストのすべてのエントリが、第１のセルの隣接セル関係リストへとコピーされることが好ましい。しかし、基地局の接続性情報が第１の基地局と第２の基地局との間で異なる可能性が高いことから、第１の基地局は、リストされた各隣接セルとの接続性を検証する必要がある。さらに、すべてのセル関係は相互的であってもよく、従って、第１のセルは、第２のセルの隣接セル関係リストの中の全てのセルには隣接セルに見える。この手順は、第２のセルの隣接セル関係リストからの１つ以上の他のセルを使って繰り返されてもよいし、その後で測定されてＵＥに報告されたいずれかの隣接セルを介して繰り返されてもよい。
【００４５】
図９は、起動されたＣＳＧセルについての隣接セル関係を迅速に構築するための、限定的でなく例示的な手順を、ＣＳＧセルについての最初の一時的なＵＥ測定結果報告と連結して図解するフローチャートである。ステップＳ１乃至Ｓ４は、図７の場合と同じである。ステップＳ４の後、図８で述べたようにステップＳ１１とＳ１２とが行われる。ＣＳＧセルについて隣接セルが十分存在すると識別された後、ＣＳＧセルは、承認されたＣＳＧ無線端末が他のセルに対してＣＳＧセルについてのＵＥ測定結果報告を行うことだけを許す（ステップＳ６）。
【００４６】
図１０は、最初にＣＳＧセルについての広域のＵＥ測定結果報告を用いた後に狭域のＵＥ測定結果報告を用いる、起動されたＣＳＧセルについての、限定的でなく例示的な手順を図解するフローチャートである。ステップＳ１乃至Ｓ３は、図７の場合と同じである。しかしステップＳ２では、ＣＳＧセル環境が変化した場合には、ＣＳＧセルは、サービス享受無線端末測定結果報告について「広域」の報告ウィンドウを用いる（ステップＳ１５）。広域の報告ウィンドウとは、サービス享受無線端末が、隣接セル関係情報を生成するために、かなり低い受信信号品質の候補セルを報告することを意味する。広域の報告ウィンドウは、検出されたすべてのセルが最初は報告されるという意味で、無限であってもよい。しかし、何らかの条件が満たされた後では（例えば、確立されたセル関係の数が閾値を上回る（ステップＳ１６））、ＣＳＧセルは、比較的狭域の報告ウィンドウが用いられる、初期設定後の状態になる（ステップＳ１７）。狭域の報告ウィンドウとは、サービス享受無線端末が、例えば所定の閾値によって判定される、高い受信信号品質の候補セルだけを報告することを意味する。
【００４７】
図１１Ａは、セル報告手順の、限定的でなく例示的な集合を図解するフローチャートであり、図１１Ｂは、図１１Ａのセル報告手順を実装するための、限定的でないシグナリングを図解する図である。それらの図は、サービス提供基地局がどのようにして、禁止セルであるにもかかわらず高品質で受信されたＣＳＧセルの同報信号を報告するように無線端末に命令することがあるかを図解する。無線端末は、サービス提供基地局によって送信された信号の信号品質を、他の各基地局によって送信された信号の信号品質と比較する。同一出願人による、２００８年３月２３日に出願され、「Ｃｌｏｓｅｄ  Ｓｕｂｓｃｒｉｂｅｒ  Ｇｒｏｕｐ  Ｃｅｌｌ  Ｈａｎｄｏｖｅｒ」と題された米国出願１１／においては、サービス提供基地局からブラックリストをシグナリングすることによってかまたはＣＳＧセルによって同報シグナリングすることによってかいずれか一方で、禁止されたセルを除外するように無線端末に命令することが可能である。図１１Ｂでは、無線端末（ＵＥ）は、候補セルを捜し（ステップＳ２０）、そして、検出された候補セルの中から禁止セルを識別する（ステップＳ２１）。端末は、検出された禁止／ＣＳＧセルによって送信された信号の信号品質を、サービス提供セルの信号から受信された信号品質と比較する。いずれかの禁止／ＣＳＧセルの信号品質が、ここではｘ  ｄＢとして示す所定の量だけサービス提供セルの信号品質を上回った場合、サービス提供セルにそれが報告される（ステップＳ２３およびＳ２４）。そうでない場合は、端末は、報告トリガ条件に適合するすべての開放型セルについて信号品質測定結果を報告する（ステップＳ２２）。所定の量、例えばｘ  ｄＢは、例えば報告された禁止セルをサービス提供セルがどのくらいの頻度ですでに知っていたかという統計値に基づいて、時間の経過と共に調整されてもよい。
【００４８】
図１１Ｂは、サービス提供基地局と無線端末との間の例示的なシグナリングを図解する。まず第１に、所定の基準が満たされたならば無線端末は禁止セルについて報告すべきであると、サービス提供基地局が無線端末に通知する。この基準は、ステップＳ２３で説明したように、禁止セルの信号の信号品質がサービス提供セルの信号の信号品質を所定量だけ上回ることであってもよい。禁止セルの測定結果によって基準が満たされた場合には、無線端末は、ＣＳＧセルの物理ＩＤを含めて、報告をサービス提供基地局へ送信する。サービス提供セルは、ＣＳＧセルのセルグローバルＩＤを復号して報告するよう無線端末に要求することによって、応答してもよい。
【００４９】
図１２および１３は、特定の無線端末のセル選択手順に関する図である。図１２は、ＣＳＧセルの近くで無線端末が起動された場合のセル選択手順の、限定的でなく例示的な１つの集合を図解するフローチャートである。移動端末は、禁止セル、制限セル、ＣＳＧセルであると同報されたり、ブラックリストに掲載されたりしている禁止セルについて報告したり、それに登録（に接続）したりすべきでないという一般原則に加えて、この限定的でなく例示的な実施形態は、新たなセル選択の選択肢を追加する。無線端末は、起動後、隣接セルからの同報信号を捜す。検出されたセルは、受信信号品質に従ってソートされる（ステップＳ３０）。最良の信号品質測定結果を有するセルがアクセス禁止セルまたはアクセス制限セルであるかどうか判定が行われる（ステップＳ３１）。そうである場合は、無線端末は、この最良のアクセス制限セルは、最良の非アクセス制限隣接セルより大幅に良いかどうか（例えばｘ  ｄＢのような何らかの所定の量によって）判定し（ステップＳ３３）、そのセルに登録／セルを選択／セルに接続することを試行する（ステップＳ３４）。
【００５０】
サービス提供基地局は、サービス圏内のすべてのアクティブな無線端末かまたはそれらの部分集合に対して、禁止セルについての信号品質測定結果を少なくとも一度報告するよう要求してもよい。無線端末は、これをサービス提供基地局に一度報告するだけでよく、そして、報告は、望ましくはローカルおよびグローバルセル識別子を有するべきであり、場合によってはＣＳＧセルに対応する無線条件の測定結果を有するべきである。結果として無線端末は、単に自分が偶然ＣＳＧセルの近くにいたという理由で、サービス提供セルにとっては未知であるＣＳＧセルについて報告してもよい。無線端末が承認されている場合、サービス提供セルと報告されたＣＳＧセルとの間で隣接関係が設定されてもよく、そして、サービス提供セルは、次いで、新たに検出された承認されたＣＳＧセルへのハンドオーバを行うように無線端末に命令することができる。そのような一回限りの報告手順が、要望どおりにまたは何らかの条件に基づいてサービス提供基地局によって有効化されたり無効化されたりしてもよい。
【００５１】
図１３は、ＣＳＧセルの近くで無線端末が起動された場合のセル選択手順の、限定的でなく例示的なもう１つの集合を図解するフローチャートである。ここで、未承認無線端末によるＣＳＧへの登録の報告または試行またはその両方を制限するため、少なくとも１つのアクセス制限セルにアクセスできる無線端末だけに、選択手順においてＣＳＧセルを検討する資格を持たせる。ステップＳ３０乃至Ｓ３２は、図１２に関連して記述したものと同様である。ステップＳ３１において最良のセルがアクセス制限セルである場合には、無線端末が少なくとも１つのアクセス制限セルにアクセスすることを承認されているかどうかステップＳ３５で判定が行われる。そうでない場合は、無線端末は、最良の非アクセス制限セルを選択して、登録を開始する（ステップＳ３２）。そうでなければ、無線端末は、最良のアクセス制限セルを選択して、登録を開始する（ステップＳ３６）。
【００５２】
上述の本技術は、迅速なＣＳＧセル隣接セル関係リスト初期設定手順を提供しており、それは、ＣＳＧが前回起動された後で記憶された隣接先についての情報から恩恵を受ける。ＣＳＧセルの信号品質報告を制限するメカニズムの導入と共に、新規ＣＳＧセルをネットワーク内で自動的に統合することを目的として、新規ＣＳＧセルの報告を可能にする必要が生じる。本技術は、いくつかの事例において無線端末からの測定情報を提供するメカニズムについて述べる。例示する１つの事例は、あるセルのサービス圏内の無線端末が、禁止されていると考えられるＣＳＧセルを検出するが、そのＣＳＧセルからの信号の受信信号品質は、サービス提供基地局からの信号の信号品質を少なくとも所定の量だけ上回るような場合である。この状況では、その無線端末がそのＣＳＧセルに十分近いならば、禁止されたＣＳＧセルについての信号品質測定結果を検出して報告することは可能である。他の隣接セルから隣接情報を引き継ぐことや、広域セル報告を使うＣＳＧセル初期状態などのようなその他のメカニズムも、ＣＳＧセルに関連する隣接セル関係情報を迅速にネットワーク内で収集して確立するための、迅速な隣接セル関係の確立をサポートする。さらに、ＣＳＧセルの禁止ステータスは、他のセルへの隣接セル関係の効率的かつ効果的な確立を円滑に行うことを目的として、ＣＳＧセルが初期設定されるときに最初に除去されてもよい。
【００５３】
さまざまな実施形態を示して詳細に記述してきたけれども、請求項は特定の実施形態または例に限定されない。上記の記述のいずれも、いずれかの特定の要素、ステップ、範囲、または機能が必須であって、請求項の範囲に含まれなければならないことを意味すると解釈されるべきではない。特許化される対象の範囲は、請求項によってのみ定義される。法的保護の程度は、認められた各請求項およびそれらの等価物の中で記載された言葉によって定義される。当業者には既知である、上記の好適実施形態の諸要素へのすべての構造的および機能的等価物は、明示的に参照により本願に援用し、かつ、本諸請求項によって包含されることを意図している。加えて、デバイスまたは方法が、本発明による解決が求められている問題のそれぞれおよび問題のすべてに対処する必要はなく、なぜなら、それは本諸請求項によって包含されることになるからである。いずれの請求項も、「ための手段」または「ためのステップ」という言葉が用いられない限り、３５ＵＳＣ§１１２のパラグラフ６を行使することを意図していない。さらに、実施形態、構成要素、またはステップが請求項の中に記載されているかどうかを問わず、本明細書の中のいかなる実施形態、特徴、構成要素、またはステップも、公衆に捧げられることを意図していない。
【図１】
2011512045.tif 000003
【図２】
2011512045.tif 000004
【図３】
2011512045.tif 000005
【図４】
2011512045.tif 000006
【図５】
2011512045.tif 000007
【図６】
2011512045.tif 000008
【図７】
2011512045.tif 000009
【図８】
2011512045.tif 000010
【図９】
2011512045.tif 000011
【図１０】
2011512045.tif 000012
【図１１Ａ】
2011512045.tif 000013
【図１１Ｂ】
2011512045.tif 000014
【図１２】
2011512045.tif 000015
【図１３】
2011512045.tif 000016
【手続補正書】
【提出日】平成22年3月30日(2010.3.30)
【手続補正１】
【補正対象書類名】特許請求の範囲
【補正対象項目名】全文
【補正方法】変更
【補正の内容】
【特許請求の範囲】
【請求項１】
ＣＳＧ基地局（ＣＳＧ  ＢＳ）のサービス圏内の閉域加入者グループ（ＣＳＧ）セルの隣接セル関係リストを管理するための方法であって、前記ＣＳＧに属する無線端末（ＵＥ)だけが前記ＣＳＧセルにアクセスして前記ＣＳＧセルからサービスを受けることを許可され、かつ、前記無線端末が前記ＣＳＧセルについての前記閉域加入者グループのメンバでない限り、無線端末は前記ＣＳＧ基地局から受信した信号の信号品質測定結果をそれぞれのサービス提供基地局に報告してはならないということを一般的に示す情報が、前記ＣＳＧセルに隣接する前記セルの中の無線端末に提供され、
（ａ）前記ＣＳＧセルを起動する工程と、
（ｂ）以前に同じ環境で前記ＣＳＧセルが起動されたことがあるかどうかを判定する工程と、
（ｃ）前記同じ環境で前記ＣＳＧセルが起動される場合には、１つ以上の他のネットワークノードと情報を比較することによって前記ＣＳＧセルについての隣接セル関係情報を更新する工程と、
（ｄ）前記同じ環境で前記ＣＳＧセルが起動されない場合には、前記ＣＳＧセルについての隣接セル関係情報を初期設定する工程と
を有することを特徴とする方法。
【請求項２】
前記環境が前記ＣＳＧ基地局に関連するネットワーク接続情報を含むことを特徴とする請求項１に記載の方法。
【請求項３】
前記環境が変化したことを前記ＣＳＧ基地局が中央ノード（７０）に通知することを特徴とする請求項１に記載の方法。
【請求項４】
前記環境が、前記ＣＳＧセルがそのメンバであるセルネットワークを含み、別の環境が、前記ＣＳＧセルが前回起動された後での前記セルネットワークにおける１つ以上の他のセルについての隣接セル関係情報の変化を含むことを特徴とする請求項１に記載の方法。
【請求項５】
セルにサービス提供して、無線端末が閉域加入者グループのメンバでない限り、無線端末はＣＳＧ基地局から受信した信号の信号品質測定結果をサービス提供基地局に報告してはならないということを一般的に示す情報をサービス享受無線端末（ＵＥ）に提供するための基地局（１８、１９）であって、前記ＣＳＧ基地局は、
無線トランシーバ回路機構（３２）と、
データ処理システム（３４）と
を備え、
前記データ処理システムは、無線端末が前記ＣＳＧ基地局によって送信された信号を所定の信号品質で、または所定の信号品質を上回る品質で受信した場合には、たとえ一部の前記無線端末が前記ＣＳＧセルの前記閉域加入者グループの中に存在しないとしても、前記無線端末は、前記ＣＳＧセルについての信号品質測定結果を前記サービス提供セルに報告してもよいことを、前記無線トランシーバ回路機構を介して無線端末に通知するように構成された電子回路機構（３８）を備えることを特徴とする基地局。
【請求項６】
ＣＳＧセルにサービス提供するための閉域加入者グループ（ＣＳＧ）基地局（１８、１９）であって、一般的に、前記閉域加入者グループに属する無線端末（ＵＥ）だけが前記ＣＳＧセルにアクセスして前記ＣＳＧセルからサービスを受けることを許可され、かつ、前記ＣＳＧセルは禁止されていることを前記ＣＳＧ基地局が前記ＣＳＧセルの同報チャネルでシグナリングし、
前記ＣＳＧ基地局は、
無線トランシーバ回路機構（３２）と、
データ処理システム（３４）とを備え、
前記データ処理システムは、電子回路機構（３８）が、前記ＣＳＧセルが起動された場合に、
（ａ）隣接セルのサービス圏内の無線端末が前記ＣＳＧセルに関連する受信信号品質をそれらのサービス提供セルに報告することができるように、前記ＣＳＧセルが禁止されていることを前記無線トランシーバ回路機構を介してシグナリングすることを最初は抑制するタスクと、
（ｂ）その後、前記ＣＳＧセルのための隣接セルリストの中に所定数の隣接セルが含まれている場合、前記ＣＳＧセルは、前記ＣＳＧセルの前記閉域加入者グループに属する無線端末だけが、前記ＣＳＧセルについての信号品質測定結果をそれらの各々のサービス提供セルに報告してもよいことを特徴とする禁止セルであることを前記無線トランシーバ回路機構を介してシグナリングするタスクと
を実行するように構成されることを特徴とする閉域加入者グループ（ＣＳＧ）基地局。
【請求項７】
前記ＣＳＧセルが前回起動されたときの位置とは異なる新たな位置に前記ＣＳＧセルが移動した場合、または、前記ＣＳＧセルが前回起動された後で前記ＣＳＧセルが属するセルネットワークの中で複数のセルについての隣接セル関係情報が変化した場合に、タスク（ａ）および（ｂ）が実行されることを特徴とする請求項６に記載のＣＳＧ基地局。
【請求項８】
前記ＣＳＧセルが前回起動されたときの位置とは異なる新たな位置に前記ＣＳＧセルが移動しなかった場合、または、前記ＣＳＧセルが前回起動された後で前記ＣＳＧセルが属するセルネットワークの中で複数のセルについての隣接セル関係情報が変化しなかった場合に、タスク（ａ）および（ｂ）が実行されず、かつ、
前記ＣＳＧセルが前回起動されたときの位置とは異なる新たな位置に前記ＣＳＧセルが移動しなかった場合、または、前記ＣＳＧセルが前回起動された後で前記ＣＳＧセルが属するセルネットワークの中で複数のセルについての隣接セル関係情報が変化しなかった場合に、前記ＣＳＧセルに関連する隣接セル情報が更新されることを特徴とする請求項６に記載のＣＳＧ基地局。
【請求項９】
開放型アクセスセルに関連する開放型基地局（大規模ＢＳ）と、閉域加入者グループ（ＣＳＧ）に属する無線端末だけがＣＳＧセルにアクセスしてＣＳＧセルからサービスを受けることが許可されているＣＳＧセルにサービス提供している閉域加入者グループ（ＣＳＧ）基地局とを含むネットワーク内で用いるネットワークノードであって、前記無線端末が前記閉域加入者グループのメンバでない限り、無線端末は前記ＣＳＧ基地局から受信した信号の信号品質測定結果をそれぞれのサービス提供基地局に報告してはならないということを一般的に示す情報が、前記ＣＳＧセルに隣接するセルの中の無線端末に提供され、前記ネットワークノードは、
ＣＳＧ基地局環境情報を記憶するためのメモリ（７２、７８）と、
制御装置（７８）とを備え
前記制御装置が、
運用のために最近起動されたＣＳＧセルについての前記ＣＳＧ基地局環境情報を検出し、
前記ＣＳＧ基地局が前回起動されて以来の前記記憶された環境情報と比較して、前記ＣＳＧ基地局が、起動された後、同じ環境にあるのかどうか判定し、
前記ＣＳＧセルが同じ環境で起動されていない場合には、前記ＣＳＧセルについての隣接セル関係情報を初期設定するように構成されることを特徴とするネットワークノード。
【請求項１０】
前記ネットワークノードは前記ＣＳＧ基地局および他の基地局に接続された中央ノード（７０）であり、
前記メモリは、（ｉ）各開放型セルについての隣接セル関係リストと、（ｉｉ）各ＣＳＧセルについての隣接セル関係リストと、（ｉｉｉ）複数の無線端末の各々について、前記無線端末がアクセスしてサービスを受けることが承認されているすべてのＣＳＧセルを識別するＣＳＧ承認リストとを記憶することを特徴とする請求項９に記載のネットワークノード。
【請求項１１】
前記ＣＳＧ基地局が前記ネットワークノードに環境変化について通知することを特徴とする請求項９に記載のネットワークノード。
【請求項１２】
前記ネットワークノードが基地局（１８、１９）であることを特徴とする請求項９に記載のネットワークノード。
【請求項１３】
無線端末（２０）であって、
無線トランシーバ回路機構（６０）と、
前記無線トランシーバ回路機構に接続するデータ処理システム（６２）とを備え、
前記データ処理システムが、
隣接セルに関連する隣接基地局によって送信された信号を受信して、関連する信号品質を判定し、
所定の信号品質閾値を上回る、隣接基地局によって送信されたこれらの信号を識別し、
アクセス制限セルに関連するアクセス制限基地局によって送信された信号の信号品質が、所定の信号品質閾値を上回る非アクセス制限基地局によって送信された信号の信号品質を上回るかどうかを判定して、そうであるならば、前記アクセス制限基地局へ登録要求を送信するように構成された電子回路機構（６６）を有することを特徴とする無線端末。
【請求項１４】
前記電子回路機構が、前記ＣＳＧセルに対応する前記信号品質測定結果が、非ＣＳＧセルに対応する信号品質測定結果を所定量上回ることがないならば、登録要求を、前記所定の信号品質閾値を上回る信号品質測定結果に関連する非ＣＳＧセルのうちの１つへ送信するように構成されることを特徴とする請求項１３に記載の無線端末。
【請求項１５】
前記識別された信号の一部がアクセス制限セルに対応し、前記電子回路機構が、前記アクセス制限基地局へ登録要求を送信することを試行する前に、前記無線端末がこれらのアクセス制限セルのうちの少なくとも１つにアクセスできるかどうか判定するように構成されることを特徴とする請求項１３に記載の無線端末。
【請求項１６】
無線端末（２０）であって、
無線トランシーバ回路機構（６０）と、
前記無線トランシーバ回路機構に接続するデータ処理システム（６２）とを備え、
前記データ処理システムが、
隣接セルに関連する隣接基地局によって送信された信号を受信して、関連する信号品質を判定し、
所定の信号品質閾値を上回る、隣接基地局によって送信されたこれらの信号を識別し、
アクセス制限セルに関連するアクセス制限基地局によって送信された信号の信号品質が、非アクセス制限基地局によって送信された信号の信号品質を所定の量上回るかどうかを判定して、そうであるならば、前記トランシーバ回路構成を介して、前記サービス提供基地局へ送信される測定結果報告をトリガするように構成された電子回路機構（６６）を有することを特徴とする無線端末。
【国際調査報告】
2011512045.tif 000017
2011512045.tif 000018
2011512045.tif 000019
2011512045.tif 000020